(57)【特許請求の範囲】
【請求項１】
浴槽の底部と、浴槽の嵌め込まれた周囲の嵌合部材とを支持するようになされた浴槽ユニットの支持構造において、浴槽の下方に浴槽の底部を支持する横梁と、この横梁の端部を保持する縦梁とが井桁状に組まれた架台が設けられ、又、上記縦梁より上記嵌合部材の四隅を支持する支柱が立設され、この支柱には嵌合部材の高さの設定と水平度を調整するためのネジ調整部が設けられ、上記架台の縦枠の四隅が土間より立設された高さ調整可能な支持脚により支持されていることを特徴とする浴槽ユニットの支持構造。
【発明の詳細な説明】
【０００１】
【発明の属する技術分野】
本発明は、浴室ユニット等に設置される浴槽ユニットの支持構造に関する。
【０００２】
【従来の技術】
従来、建物の浴室に配設される浴槽ユニットの支持構造は、図３、及び図４に示すように、浴槽１００の底部１２０を、浴槽１００の土間コンクリート等の設置面に予め積上げられたコンクリートブロック２００の上に直接載置し、更に、浴槽ユニットの周囲の浴槽の嵌合部材３００は、その角部３１０を浴槽１００とは別途に高さ調整可能な支持材２１０により支持された構造となっている。
【０００３】
又、上記の浴槽ユニットとは別の支持構造として、図５、及び図６に示すように、建物の基礎上に載置された土台５００、５００間に梁材６００を、土台５００、５００より垂下された受金具７００、７００により保持して架け渡し、この梁材６００、６００により浴槽１００を支持し、更に、浴槽の嵌合部材１１０を土台５００上の支持材８００により支持して設置するようにしたものが知られている。
【０００４】
【発明が解決しようとする課題】
しかしながら、上記前者のような従来の浴槽ユニットをコンクリートブロック２００により支持する構造においては、これらが別工事が必要となり、又、浴槽１００と嵌合部材３００とがそれぞれ独立して支持されているので、上記嵌合部材３００が不安定となり、この床面と一体となった嵌合部材３００の浴室内での揺れが発生するといった問題がある。
【０００５】
又、後者の場合には、住宅等の建物の基礎上の土台５００を利用する構造であるため、設置条件が制約を受けることになり、最適箇所に浴室を設けることができないなどの問題がある。
【０００６】
本発明は、上記のこのような問題点に着眼してなされたものであり、その目的とするところは、これらの問題点を解消し、浴槽ユニットの浴槽、及び床面を含む浴槽の嵌合部材の揺れ等の発生がなく安定した設置が可能で、又、建物の構造体等から独立して設置され、設置条件の制約を受けることがない浴槽ユニットの支持構造を提供するものである。
【０００７】
【課題を解決するための手段】
本発明の浴槽ユニットの支持構造においては、浴槽の底部と、浴槽の嵌め込まれた周囲の嵌合部材とを支持するようになされた浴槽ユニットの支持構造において、浴槽の下方に浴槽の底部を支持する横梁と、この横梁の端部を保持する縦梁とが井桁状に組まれた架台が設けられ、又、上記縦梁より上記嵌合部材の四隅を支持する支柱が立設され、この支柱には嵌合部材の高さの設定と水平度を調整するためのネジ調整部が設けられ、上記架台の縦枠の四隅が土間より立設された高さ調整可能な支持脚により支持されていることを特徴とする。
【０００８】
【作用】
本発明の浴槽ユニットの支持構造においては、浴槽の下方に浴槽の底部を支持する架台が設けられ、又、上記架台の縦梁より上記嵌合部材の四隅を支持する支柱が立設され、この支柱には嵌合部材の高さの設定と水平度を調整するためのネジ調整部が設けられ、上記架台の縦枠の四隅が土間より立設された高さ調整可能な支持脚により支持されているので、浴槽ユニットの浴槽、及び床面を含む嵌合部材の揺れ等の発生がなく安定した設置が可能で、又、建物の構造体等から独立して設置され、設置条件の制約を受けることがない。
【０００９】
【発明の実施の形態】
以下、本発明の実施例を図面を参照して説明する。
図１は、本発明の浴槽ユニットの支持構造の一例を示す断面図であり、図２は、図１のＡ−Ａ断面図である。
図１、及び図２において、浴槽ユニット１０は、コンクリート土間１の上方に設置されるようになっており、この浴槽ユニット１０は、浴槽１１と、この浴槽１１が嵌め込まれる嵌合部材１２とりより構成されている。
又、上記嵌合部材１２は、その側面にエプロン１２ａと、このエプロン１２ａの下端より延設された洗い場床１２ｂとにより構成されている。
【００１０】
上記嵌合部材１２の洗い場床１２ｂは、別途に立設された支持柱により支持される構造となっている。
【００１１】
浴槽１１の下方には、浴槽１１を支持する架台２０が設けられており、この架台２０は、浴槽１１の底部１１ａを直接支持する横梁２１、２１が並設され、この横梁２１、２１の両端近傍に、横梁２１、２１と直交する方向に縦梁２２、２２が架け渡され井桁状に組まれて形成されている。
【００１２】
又、上記架台２０の縦梁２２、２２の端部の上面からは、上記嵌合部材１２の四隅を支持する支柱３０がそれぞれに立設されている。
この支柱３０の上寄りには、嵌合部材１２の高さの設定と水平度を調整するためのネジ調整部３０ａが設けられている。
【００１３】
更に、上記架台２０の縦梁２２、２２の端部４箇所と、横梁２１の中央部がコンクリート土間１より立設されたネジ調整部４０ａ、４１ａによるそれぞれ独立した高さ調整可能な支持脚４０、４１によりそれぞれに支持され、架台２０により浴槽ユニット１０の安定した支持とともに全体の高さと水平度の調整がなされるようになっている。
【００１４】
従って、前述の従来のような浴槽ユニットの支持構造とことなり、浴槽１１と嵌合部材１２を一体化された架台２０により支持し、更に、全体的な高さと水平度の調整を行うことが可能となり、浴槽ユニット１０の揺れがなく安定した支持による設置が可能となり、又、浴槽ユニット１０は、建物の構造体（例えば土台）等から独立して設置され、設置条件の制約を受けることがないものとすることが可能となった。
【００１５】
【発明の効果】
本発明の浴槽ユニットの支持構造においては、浴槽の下方に浴槽の底部を支持する架台が設けられ、又、上記架台の縦梁より上記嵌合部材の四隅を支持する支柱が立設され、この支柱には嵌合部材の高さの設定と水平度を調整するためのネジ調整部が設けられ、上記架台の縦枠の四隅が土間より立設された高さ調整可能な支持脚により支持されているので、浴槽ユニットの浴槽、及び床面を含む嵌合部材の揺れ等の発生がなく安定した設置が可能で、又、建物の構造体等から独立して設置され、設置条件の制約を受けることがないようにできた。
【００１６】
又、浴槽と嵌合部材とを一体に支持し、それぞれを独立して支持する必要がなくなり、従来のようなそれぞれの独立直立状態の維持や位置決め等の問題を解消できるようになった。
更に、浴槽と嵌合部材との高さと水平度の調整が簡単にできるようになり、施工工数の軽減が可能となった。
従って、浴槽ユニットの支持構造として好適である。
【図面の簡単な説明】
【図１】本発明の浴槽ユニットの支持構造の一例を示す断面図。
【図２】図１のＡ−Ａ断面図。
【図３】従来の浴槽ユニットの支持構造を示す正面図。
【図４】図３の側面図。
【図５】従来の浴槽ユニットの支持構造を示す正面図。
【図６】図５の側面図。
【符号の説明】
１                      コンクリート土間
１０                    浴槽ユニット
１１                    浴槽
１１ａ                  底部
１２                    嵌合部材
１２ａ                  エプロン
１２ｂ                  洗い場床
２０                    架台
２１                    横梁
２２                    縦梁
３０                    支柱
３０ａ、４０ａ、４１ａ  ネジ調整部
４０、４１              支持脚
【図１】
0003569054.tif 000002
【図２】
0003569054.tif 000003
【図３】
0003569054.tif 000004
【図４】
0003569054.tif 000005
【図５】
0003569054.tif 000006
【図６】
0003569054.tif 000007